(57)【要約】【課題】ブロック塀の目地をブロック塀の美感に積極的に取り入れられるブロック、また充分な強度を有するブロックを、安価に提供する。【解決手段】建築用コンクリートブロックに準じた構造の化粧用ブロックを用い、ブロックの対向する辺の一辺に凸起、他辺に凹部を設け、凸起の凸起寸法より、凹部の凹み寸法を小さくする。さらに、他の対向する２辺にも同様に凸起・凹部を設ける。このブロックを、水平方向に並べ・鉛直方向に重ねて、化粧ブロック地と同じ色合い・模様の目地を、水平方向・垂直方向に作り出す。また、目地を構成するブロックの部分に、ブロックの地色・地模様と異なる色・模様を施して、目地の美的効果を一層活用する。【選択図】    図１
2006125115.tif 000002
【特許請求の範囲】
【請求項１】
壁・塀用ブロックにおいて、対向する辺の一辺に凸起、他辺に凹部を設け、該凸起の凸起寸法より該凹部の凹み寸法を小さくしたこと、を特徴とする壁・塀用ブロック。
【請求項２】
壁・塀用ブロックにおいて、対向する辺の一辺に凸起、他辺に凹部を設け、該凸起の凸起寸法より該凹部の凹み寸法を小さくし、さらに、他の対向する辺の一辺に凸起、他辺に凹部を設けて、該凸起の凸起寸法より該凹部の凹み寸法を小さくしたこと、を特徴とする壁・塀用ブロック。
【請求項３】
請求項１および請求項２記載の発明において、ブロックとブロックを嵌め合わせると構成される目地に相当するブロックの部分に、ブロックの地色・地模様と異なる色・模様を施したこと、を特徴とする壁・塀用ブロック。
【発明の詳細な説明】
【技術分野】
【０００１】
本願発明は、壁・塀用の資材として使用するブロックに関する。
【背景技術】
【０００２】
通常、ブロック塀・壁（以下「ブロック塀」と総称する。）は、一般にＪＩＳ規格品の建築用コンクリートブロックを用い、水平に並べた後、さらに一段積み上げるという作業が繰り返されて完成される。
この際、ブロック塀の強度を保つため、縦鉄筋および横鉄筋を入れ、ブロックにモルタルを施しながら、水平度・鉛直度を見ながら、また、ブロック全体の面（壁面・塀面）が平面になるように慎重に施工される。
なお、ＪＩＳ規格品の建築用コンクリートブロックは、大きさを示す寸法として、長さ・厚さ・高さについて、種々規定されている。一例をあげると、長さ４００ｍｍ・厚さ１２０ｍｍ・高さ２００ｍｍである。
【０００３】
ブロック塀には、上述のようにモルタルが施されることから、このモルタルの部分が目地を構成してしまい、この目地が美感上好まれない場合がある。
このため、ブロック塀が完成後、さらにブロックの外観面全体にモルタルが施される場合もある。
【０００４】
一方、塀外観の美感を重要視する場合には、ブロックの表面を化粧した、いわゆる化粧ブロックと言われるものが用いられる場合がある。
このような場合には、化粧ブロック間にモルタルを施すことは、化粧ブロックに無粋なモルタルの目地を作ることとなり、著しく美感を損なうこととなる。
【０００５】
ブロックの目地を積極的に利用する発明には、特開平１０―１９６０１０が開示されている。この発明は、係合凸部と陥凹部を有するブロックを相互に係合させ、係合凸部の寸法を陥凹部の寸法より大きくすることにより、縦方向の目地を作りだしているが、従来のコンクリートブロックを全く考慮せず、従来のブロックとは全く異なる概念に基づき、特別の設計によって新たに製作するブロックを利用するものであることから、著しく汎用性・市販性・実用性の欠けたものとなっている。
また、その構造上、縦方向（垂直方向）の目地にしか適用できないものである。
さらに、該発明のブロックには、従来のブロック積み工事に用いられる縦鉄筋・横鉄筋を施すことができないことから、ブロック塀として使用するには著しく強度が不足するという欠点を有している。
【０００６】
また、ブロックに凸部と凹部を設ける発明については、特開２００４―２１８４０４が開示されている。
しかし、この場合は、ブロック積み工事を簡易にすることを目的としており、目地に対する概念は全く欠如している。
さらに、この発明においても、従来の建築用コンクリートブロックを用いたブロック積み工事に比べ、横鉄筋を施すことができないことから、ブロック塀としての強度に欠けるという難点を有している。
【０００７】
一方、現今では、ブロック塀は、単なる防護塀という役割を越えて、塀としての美感が極めて重要視されるようになって来ている。
本願発明は、ブロックの目地をブロック塀の美感に積極的に取り入れるために、さらに、ブロック塀の資材となり得るに充分な強度をもたせるために、最適なブロックを提供すべく、発明されたものである。
【０００８】
【特許文献１】特開平１０―１９６０１０号
【特許文献２】特開２００４―２１８４０４号
【発明の開示】
【発明が解決しようとする課題】
【０００９】
本願発明は、ＪＩＳ規格品の建築用コンクリートブロックの構造を採用し、ブロック塀の目地をブロック塀の美感に積極的に取り入れたブロック、またブロック塀の資材として充分な強度を有するブロックを、安価に提供することにある。
【課題を解決するための手段】
【００１０】
上記目的を達成するために、請求項１記載の発明は、壁・塀用ブロックの対向する辺の一辺に凸起、他辺に凹部を設け、該凸起の凸起寸法より該凹部の凹み寸法を小さくした。
【００１１】
また、請求項２記載の発明においては、請求項１記載の対向する辺の凸起・凹部の他に、同様の凸起・凹部を、請求項１記載の対向する辺とは異なる他の対向する辺に設けた。
【００１２】
さらに、ブロックを並べ・積み上げると自ずと構成される目地が、壁・塀の外観の美感に大きな影響を有することから、目地を構成するブロックの部分に、ブロックの地色・地模様と異なる色・模様を施して、目地の効用を一層活用することとした。
【発明の効果】
【００１３】
壁・塀用ブロックの対向する辺の一辺に凸起、他辺に凹部を設け、該凸起の凸起寸法より該凹部の凹み寸法を小さくしたことから、二つのブロック相互の凸起と凹部を嵌め合わせることにより、化粧ブロックの地を活かした一定の間隔の目地を作り出すことができる。
【００１４】
また、凸起・凹部を、対向する１組の辺のみならず、他の対向する１組の辺にも設けたことから、垂直・水平の双方向に、化粧ブロックの地を活かした一定の間隔の目地を作り出すことができる。
【００１５】
さらに、目地を構成するブロックの凸起またはおよび凹部に、塗料を塗布すること等によって、ブロックの地色・地模様と異なる色・模様を施すことにより、目地の効用を一層活用することができる。
【００１６】
本願発明は、ブロック全体を特殊な設計とするのでは無く、基本的には、ＪＩＳ規格品の建築用コンクリートブロックの構造を採用したことから、従来のブロック積み工事の施工方法をそのまま踏襲することができることはもちろん、ブロックの強度を担う縦鉄筋はもとより、横鉄筋もブロック積み工事に施工でき、さらに、嵌め合い用凸起・凹部を設けたことから、従来の建築用コンクリートブロックと同等またはそれ以上の強度を有するブロック塀とすることができる。
【００１７】
また、二つのブロック相互の凸起と凹部を嵌め合わせる構造としたことから、ブロック積み工事は極めて簡単に行なうことができ、素人にも専門職人に遜色ないブロック積み工事ができ、さらに、専門職人にとっても、施工時間・期間を大幅に短縮できることとなった。
【００１８】
また、化粧ブロックの色合い・模様、目地の色合い・模様を活かして、花壇等にも利用することができる。
【発明を実施するための最良の形態】
【００１９】
以下、本願の好ましい実施の形態を、添付図を参照して具体的に説明する。従来からのＪＩＳ規格の建築用コンクリートブロック３０は、図６に示すようなものである。
一方、美感を重視する化粧用ブロックは、化粧部分（図１、図２）があるため、厚さ（ブロックの肉厚）が厚くなっている（図１ないし図３）。
【００２０】
従来からのＪＩＳ規格の建築用コンクリートブロック３０（図６）を用いたブロック積み工事は、以下のように施工される（図示省略）。
先ず、ブロック塀の基礎工事がコンクリートを打って施工される。この際、縦鉄筋がブロック２個間隔で埋めこまれる。
次に、この基礎のブロックが置かれる部分にモルタルを置き、ブロックが縦鉄筋に合わせて水平に並ぶように置かれ、さらに、ブロックの縦鉄筋部分にはモルタルまたはコンクリートが充填される。
以下、同様に、既に置かれたブロックの上部・側部にモルタルを置き、ブロックが一段ずつ積み重ねられていくが、この際には、塀面が鉛直となるように、また、平面性を保つように注意が払われ、さらに、横鉄筋が通常は２段毎に施される。
【００２１】
本願発明のブロック積み工事も、以下の点を除いて、上記の建築用コンクリートブロックを用いたブロック積み工事と同様である。
モルタルが目地を構成しないようにするために原則としてはモルタルを塗らないが、必要に応じ、凸起凹部に少量のモルタルが施される場合もある。
横鉄筋の部分には、横鉄筋を固定するため、モルタルが施される。
なお、本願発明のブロック積み工事においては、二つのブロック相互の凸起と凹部を嵌め合わせる構造としたことから、ブロックの水平度・平面度を合すのは極めて簡単であり、また、ブロックにモルタルを塗らない場合には、ブロック積みは連続して行うことができ、素人でも短時間で行うことができる。
図１ないし図５の本願発明の実施の形態を示す図においては、判りやすいようにするため、ブロックの凸起を上方にしてあるが、一般には、ブロックの凸起を下方にして施工される。
【００２２】
請求項１記載のブロック１０を図１に示す。
厚さ（肉厚）の厚い化粧用ブロックを用い、このブロック１０の対向する辺の一辺に凸起１２、他辺に凹部１４を設けている。
ブロックの断面は、図３に明示するように、凸起の凸起寸法より、凹部の凹み寸法を小さくしている。
このブロックが、水平方向に並べ・垂直方向に重ねられると、図４に示すように、必然的に、目地１８が作り出されて来る。
また、ブロックには、図３に示すように、横鉄筋用開孔１６を設けている。
【００２３】
請求項２記載のブロック２０を図２に示す。
このブロック２０も、上記ブロック１０と同様、厚さ（肉厚）の厚い化粧用ブロックを用いている。本ブロック２０には、上記ブロック１０と同様に、凸起２２、凹部２４および横鉄筋用開孔２６を設け（図３）、さらに、他の対向する１組の辺にも、凸起２３および凹部２５を設けた（図２）ことから、このブロックを、水平方向に並べ・垂直方向に重ねると、図５に示すように、上記ブロック１０の目地１８と同様の目地２８の他に、必然的に、目地２９が作り出されて来る。
なお、凸起２２の凸起寸法と凸起２３の凸起寸法とを同一寸法としてもしなくても良く、また凹部２４の凹み寸法と凹部２５の凹み寸法とを同一寸法としてもしなくても良い。
【００２４】
なお、目地１８（図４）を構成する断面コ型となる部分、即ちブロックの凸起１２の垂直面・該垂直面と外壁面との間の水平面・凹部１４と外壁面との間の水平面、の全ての面または一部の面に、塗料を塗布すること等をすれば、目地部分を、化粧ブロックの色合い・模様と異なる美感の色合い・模様の目地とすることができる。
このことは、目地２８・目地２９（図５）においても同じである。
【産業上の利用可能性】
【００２５】
本願発明のブロックは、ブロック塀用のブロックとして使用される基礎的な建築資材であるから、産業上の利用可能性は極めて高いものである。
【００２６】
また、本願発明は、一般の建築用コンクリートブロックに準じた構造の化粧ブロックであって、外観の美感を重要視するブロック塀において、目地を際立たせる効果を有することから、環境の美化においても役立つものである。
【００２７】
さらに、本願発明は、一般の建築用コンクリートブロックに準じた構造であって、従来の建築用コンクリートブロックと同等あるいはそれ以上の強度を有するものであるから、災害の防止にも役立つものである。
【００２８】
また、従来のブロック積み工事に比べ、ブロック職人の技量を有しない素人にも施工でき、その上、工事時間・期間の大幅な短縮ができることから、産業上の利用可能性はもとより産業上の有用性も極めて高いものである。
【図面の簡単な説明】
【００２９】
【図１】請求項１記載のブロックを示す斜視図である。
【図２】請求項２記載のブロックを示す斜視図である。
【図３】請求項１および請求項２記載のブロックの断面を示す断面図である。
【図４】請求項１記載のブロックを水平に２個並べ、上下に２段重ねた状態を示す斜視図である。
【図５】請求項２記載のブロックを水平に２個並べ、上下に２段重ねた状態を示す斜視図である。
【図６】ＪＩＳ規格の建築用コンクリートブロックを示す斜視図である。
【符号の説明】
【００３０】
１０    ブロック（請求項１）        ２０    ブロック（請求項２）
１２    凸起                        ２２    凸起
２３    凸起
１４    凹部                        ２４    凹部（凸起２２に嵌め合うもの）
２５    凹部（凸起２３に嵌め合うもの）
１６    横鉄筋用開孔                ２６    横鉄筋用開孔
１８    目地（水平方向）            ２８    目地（水平方向）
２９    目地（垂直方向）
３０    建築用コンクリートブロック
【図１】
2006125115.tif 000003
【図２】
2006125115.tif 000004
【図３】
2006125115.tif 000005
【図４】
2006125115.tif 000006
【図５】
2006125115.tif 000007
【図６】
2006125115.tif 000008